(57)【要約】      （修正有）【課題】設置安定性を確保しつつ容易に防護柵を設置できるコンクリートブロックを備えた防護柵を提供すること。【解決手段】少なくとも一方の端部に隣接するコンクリートブロック１０と連結可能に形成されたコンクリートブロック１０と、両側下端から下方に支柱が延設された防護柵２０と、前記コンクリートブロック１０の上面に取り付けられ、前記防護柵２０の前記支柱２２を立設する支柱立設部材３０と、一方端部に前記防護柵２０の少なくとも一部に固定される防護柵取付部材と、他方端部に前記コンクリートブロックに固定なブロック取付部材とを有する防護柵支持固定部材４０と、を備えていることを特徴とするコンクリートブロックを備えた防護柵。【選択図】図１
2011026915.tif 000002
【特許請求の範囲】
【請求項１】
少なくとも一方の端部に隣接するコンクリートブロックと連結可能に形成されたコンクリートブロックと、
両側下端から下方に支柱が延設された防護柵と、
前記コンクリートブロックの上面に取り付けられ、前記防護柵の前記支柱を立設する支柱立設部材と、
一方端部に前記防護柵の少なくとも一部に固定される防護柵取付部材と、他方端部に前記コンクリートブロックに固定なブロック取付部材とを有する防護柵支持固定部材と、
を備えていることを特徴とするコンクリートブロックを備えた防護柵。
【請求項２】
前記支柱立設部材は、２つの前記防護柵の前記支柱を立設可能な２つの垂直な筒状体であることを特徴とする請求項１記載のコンクリートブロックを備えた防護柵。
【請求項３】
前記防護柵支持部材は、全長を調整可能な長尺部材からなることを特徴とする請求項１又は２記載のコンクリートブロックを備えた防護柵。
【請求項４】
前記防護柵支持部材は、ターンバックルを備えていることを特徴とする請求項１から３のいずれかに記載のコンクリートブロックを備えた防護柵。
【請求項５】
前記コンクリートブロックは、側面に溝を備えており、
前記ブロック取付部材は、ブロックの溝に引っ掛けることができるフックを備えていることを特徴とする請求項１から４のいずれかに記載のコンクリートブロックを備えた防護柵。
【請求項６】
前記コンクリートブロックは、一方の端部又は両方の端部の上方又は下方が突出形成されてなることを特徴とする請求項１から５のいずれかに記載のコンクリートブロックを備えた防護柵。
【請求項７】
前記コンクリートブロックは、一方の端部又は両方の端部が円形に形成されてなることを特徴とする請求項１から６のいずれかに記載のコンクリートブロックを備えた防護柵。
【請求項８】
前記コンクリートブロックは、屈曲部を有して形成されていることを特徴とする請求項１から７のいずれかに記載のコンクリートブロックを備えた防護柵。
【発明の詳細な説明】
【技術分野】
【０００１】
本発明は、防護柵、境界用柵等の防護柵を設置するためのコンクリートブロックを備えた防護柵に関する。
【背景技術】
【０００２】
従来、道路や敷地を区画し又は工事現場等の作業帯と非作業帯とを区画し、その区画された領域を保護する手段として防護柵が設置される。こうした防護柵の代表的な形態としては、図１７に示すように、水平に形成されたポールの両端を垂直に折り曲げて支柱とした防護柵１や、図１８に示すようにネット型の防護柵２がある。こうした防護柵は、地中にコンクリートを打設して直接現場打ちで固定したり、基礎ブロックを埋設して構築した基礎に支柱を固定して設置したりする固定タイプのものが多い。
【０００３】
しかし、こうした固定タイプの区画は、永久的に使用する場合には好適であるが、工事現場や催し物等において、一時的に設置される区画には不適である。こうした状況に対応できるものとして、必要に応じて設置及び撤去が可能な仮設型の柵も提案されている。
【０００４】
例えば、図１９に示すように、Ｈ鋼４にＨ鋼固定用のＬ字鋼５を取り付け、長く太い鉄釘６等を用いて地面やアスファルトに固定した後、Ｈ鋼４に適当な防護柵を立設する部材を取り付けて防護柵７を取り付ける方法も提案されている。しかし。係るＨ鋼を用いた防護柵の設置では、アスファルト等に鉄釘を穿った際に大きな孔があいてしまうという問題点があった。またＨ鋼では安定性が悪く、結局安定性を確保するために柵を他の場所に固定するための固定手段８、９が必要となり、設置するのに柵の幅に対して広い面積を必要とした。
【０００５】
例えば、防護柵の支柱が保持される基礎を、支柱が挿入される縦穴を通る垂直断面で複数個に切断した形状の複数個の分割ブロックから構成し、各分割ブロックを連結、離別自在の緊結具で連結して組み立てるようにしたものがある（特許文献１参照）。
【０００６】
しかし、略立方体型の基礎ブロックを用いた仮設型ガードレールは設置安定性に乏しいという問題があった。つまり、この仮設型ガードレールは基礎ブロックの一個一個がそれぞれ独立しているために、基礎ブロック一個あたりの重量が軽く、地面への接地面積も小さいことから、例えば自転車や歩行者が転倒を避けるために寄りかかった場合や突風が吹いた場合等に容易に倒れてしまったり、あるいは自動車が衝突したりしたときに容易に跳ね飛ばされて、路側帯や作業帯等の保護されるべき領域に自動車の侵入を許してしまい易かった。また、設置の際には、支柱の一本ずつに対して、基礎ブロックの位置を一個ずつ微調整しながら行う必要があり、設置作業が煩雑となっていた。
【先行技術文献】
【特許文献】
【０００７】
【特許文献１】特開２００７−２９１７３６号公報
【発明の概要】
【発明が解決しようとする課題】
【０００８】
本発明は、上記問題点を鑑みてなされたものであり、設置安定性を確保しつつ容易に防護柵を設置でき、かつ防護柵をコンクリートブロックに固定することができる手段を有するコンクリートブロックを備えた防護柵を提供することを課題とするものである。
【課題を解決するための手段】
【０００９】
以上のような課題を解決するために、本発明が採った手段は以下の通りである。
【００１０】
本発明に係るコンクリートブロックを備えた防護柵は、少なくとも一方の端部に隣接するコンクリートブロックと連結可能に形成されたコンクリートブロックと、
両側下端から下方に支柱が延設された防護柵と、
前記コンクリートブロックの上面に取り付けられ、前記防護柵の前記支柱を立設する支柱立設部材と、
一方端部に前記防護柵の少なくとも一部に固定される防護柵取付部材と、他方端部に前記コンクリートブロックに固定なブロック取付部材と、を有する防護柵支持固定部材と、
を備えているものである。
【００１１】
係るコンクリートブロックを備えた防護柵においては、コンクリートブロックが隣り合うコンクリートブロックと連結でき、並べて設置された全てのコンクリートブロックが一体となる。よって、コンクリートブロックの設置面積が広くなり、支柱下方に分離されたブロックが存在するタイプと比較して重量的に安定させることができる。従って、自転車や歩行者が転倒を避けるために寄りかかった場合や突風が吹いた場合等に容易に倒れてしまったり、あるいは自動車が衝突したりしたときに容易に跳ね飛ばされて、路側帯や作業帯等の保護されるべき領域に自動車が侵入するのを極力防止することができる。また、防護柵支持固定部材によって、支柱立設部材に立設された防護柵をコンクリートブロックに固定できるので、防護柵が風によって外れるのを防止できる。
【００１２】
また、本発明に係るコンクリートブロックを備えた防護柵として、前記支柱立設部材は、２つの防護柵の支柱を立設可能な２つの垂直な筒状体であってもよい。
【００１３】
係る構成を採用することによって、２つの筒状体を別々に設置する必要がなく、１つの支柱立設部材を設置すれば、隣接する柵のそれぞれの支柱を立設することができる。また、２つの防護柵の支柱を筒状体に差し込むことによって、２つの防護柵を隣接して設置することができる。よって、防護柵間の隙間を最小限にして連続して設置できる。
【００１４】
また、本発明に係るコンクリートブロックを備えた防護柵として、前記防護柵支持部材は、全長の長さを調整可能な長尺部材であってもよい。
【００１５】
防護柵支持部材の長さを調整可能とすることで、コンクリートブロック及び防護柵に防護柵支持部材を架設した後に、防護柵支持部材のテンションを変更することができる。よって、テンションを高くすれば、防護柵を支柱立設部材に確実に固定でき、風によって防護柵が飛ばされることを防止できる。
【００１６】
さらに、本発明に係るコンクリートブロックを備えた防護柵として、防護柵支持部材は、ターンバックルを備えていてもよい。ターンバックルを防護柵支持部材に取り付けておくことによって、防護柵支持部材の長さを容易に変更することができる。
【００１７】
さらにまた、本発明に係るコンクリートブロックを備えた防護柵として、前記コンクリートブロックは、側面に溝を備えており、前記ブロック取付部材は、コンクリートブロックの溝に引っ掛けることができるフックを備えていてもよい。
【００１８】
係る構成を採用することによって、ブロック取付部材をコンクリートブロックに取り付ける際に、溝にフックを引っ掛けて取り付けることができ、取付作業の迅速化に資する。溝の形態は特に限定するものではなく、凹溝、Ｖ字型溝等フックが引っ掛けられる形態であればよい。溝を設ける位置としては、コンクリートブロックの側面全周に渡って水平に設ければ、ブロック取付部材を任意の位置に取り付けることができる。
【００１９】
さらにまた、本発明に係るコンクリートブロックを備えた防護柵としては、前記コンクリートブロックは、一方の端部又は両方の端部の上方又は下方が突出形成されていてもよい。
【００２０】
係る構成を採用することにより、隣り合うコンクリートブロックのそれぞれの端部（上側突出部と下側突出部）を重ね合わせることによって、コンクリートブロックを連続して設置することができる。また、例えば中央の連結型境界ブロックの一部が倒れそうになっても、下側突出部に隣のブロックの上側突出部が重なっているので、隣のブロックの重量も加算されるため、さらに倒れにくくなる。
【００２１】
さらにまた、本発明に係るコンクリートブロックを備えた防護柵としては、前記コンクリートブロックは、一方の端部又は両方の端部が円形に形成されてなるものであってもよい。
【００２２】
係る構成を採用することによって、カーブであってもコンクリートブロックを角度を付けて設置することで、対応することが可能になる。
【００２３】
さらにまた、本発明に係るコンクリートブロックを備えた防護柵としては、前記コンクリートブロックは、屈曲部を有して形成されていてもよい。
【００２４】
係る構成を採用することによって、カーブに対応するコンクリートブロックとすることができる。
【発明の効果】
【００２５】
本発明によれば、工事現場、催し物等によって一時的に必要な防護柵を容易かつ迅速に設置することができる。また、設置された防護柵は重量的に安定し、風や衝突などに強く倒れにくい防護柵とすることができる。
【図面の簡単な説明】
【００２６】
【図１】図１は、本発明の第１実施形態に係るコンクリートブロックを備えた防護柵の付設状態を示す斜視図である。
【図２】図２は、本発明の第１実施形態に係るコンクリートブロックを備えた防護柵のコンクリートブロックを示す斜視図である。
【図３】図３は、本発明の第１実施形態に係るコンクリートブロックを備えた防護柵の防護柵を示す斜視図である。
【図４】図４は、本発明の第１実施形態に係るコンクリートブロックを備えた防護柵の支柱立設部材を示す斜視図である。
【図５】図５は、本発明の第１実施形態に係るコンクリートブロックを備えた防護柵の防護柵支持固定部材を示す斜視図である。
【図６】図６は、本発明の第２実施形態に係るコンクリートブロックを備えた防護柵のコンクリートブロックを示す斜視図である。
【図７】図７は、本発明の第２実施形態に係るコンクリートブロックを備えた防護柵を付設した状態を示す断面図である。
【図８】図８は、本発明の第２実施形態に係るコンクリートブロックを備えた防護柵のコンクリートブロックのバリエーションを示す斜視図である。
【図９】図９は、本発明の第２実施形態に係るコンクリートブロックを備えた防護柵のコンクリートブロックのバリエーションを示す斜視図である。
【図１０】図１０は、本発明の第２実施形態に係るコンクリートブロックを備えた防護柵のコンクリートブロックのバリエーションを示す斜視図である。
【図１１】図１１は、本発明の第２実施形態に係るコンクリートブロックを備えた防護柵のコンクリートブロックのバリエーションを示す斜視図である。
【図１２】図１２は、本発明の第３実施形態に係るコンクリートブロックを備えた防護柵の支柱立設部材をコンクリートブロックに設置した状態を示す斜視図である。
【図１３】図１３は、本発明の第３実施形態に係るコンクリートブロックを備えた防護柵に係る支柱立設部材の固定部を示す斜視図である。
【図１４】図１４は、本発明に係るコンクリートブロックを備えた防護柵に係る支柱立設部材のバリエーションを示す斜視図である。
【図１５】図１５は、本発明に係る第４実施形態に係るコンクリートブロックを備えた防護柵に係る防護柵支持固定部材を示す斜視図である。
【図１６】図１６は、本発明に係る第５実施形態に係るコンクリートブロックを備えた防護柵の付設状態を示す斜視図である。
【図１７】従来の防護柵を示す斜視図である。
【図１８】従来の防護柵を示す斜視図である。
【図１９】従来の防護柵を示す斜視図である。
【発明を実施するための形態】
【００２７】
以下、本発明の実施形態について、図面に沿って詳細に説明する。なお、以下に説明する実施形態及び図面は、本発明の実施形態の一部を例示するものであり、これらの構成に限定する目的に使用されるものではない。なお、各図において対応する構成要素には同一又は類似の符号が付されている。
【００２８】
（第１実施形態）
第１実施形態の基礎コンクリート付き防護柵１００は、図１に示すように、略直方体のコンクリートブロック１０と、防護柵２０と、コンクリートブロック１０の上面に取り付けられる支柱立設部材３０と、コンクリートブロック１０と防護柵２０とを支持固定する防護柵支持固定部材４０と、を備えている。
【００２９】
コンクリートブロック１０は、図１、図２に示すように、直方体のブロック塊で形成され、その側面に側面ボルト孔１１が設けられていて、このボルト孔１１と適合するように孔が形成された鉄プレート１１０によって、長手方向に並べたときにお互いを連結することができる。さらに、コンクリートブロック１０の上面には、後述する支柱立設部材３０及び防護柵支持固定部材４０を取り付けられるようにそれぞれ第１上面ボルト孔１２ａ、第２上面ボルト孔１２ｂが設けられている。尚、コンクリートブロック１０の長さ、幅、高さは、限定するものではない。但し、使用される防護柵２０の長さに合わせて設定され、例えば、一般に規格物として販売されている防護柵２０は、横幅が１８００ｍｍであるので、この防護柵２０を使用する場合には１８００ｍｍの長さに設定することが好ましい。係る設定にすれば、連結したコンクリートブロック１０の上面に防護柵２０を併設したときにコンクリートブロック１０と防護柵２０とが互い違いとなるように設置される。
【００３０】
防護柵２０は、図３に示すように、上方が網で、下方が鉄板からなるフェンス２１の両側下端から支柱２２をなすパイプが下方に延設されている。防護柵２０の幅は限定するものではない。前述したように、防護柵２０の幅によってコンクリートブロック１０の長さを適宜変更するとよい。
【００３１】
支柱立設部材３０は、図４に示すように、防護柵２０の支柱２２を立設するためのものであり、支柱立設部材３０は、コンクリートブロック１０に固定するための固定部３１と、支柱２２を立設するための立設部３２と、を備えている。固定部３１は、前述したコンクリートブロック１０の第１上面ボルト孔１２ａに取り付け可能なように、ボルト孔１２ａと適合する位置に長孔３３が設けられた取付プレートからなる。長孔にしておくことで、取り付け位置を長孔の範囲で調整することができるようになる。一方、立設部３２は、防護柵２０の支柱２２を挿入するために支柱２２より内径が若干大きい中空のパイプ部材を固定部３１に立設して形成されている。支柱立設部材３０は、コンクリートブロック１０にボルト等で固定した後、立設部３２に防護柵２０の支柱２２を挿入して防護柵２０を立設する。
【００３２】
防護柵支持固定部材４０は、図５に示すように、コンクリートブロック１０へ取り付けるためのブロック取付部材４１と、長さを調節可能な張設部材４２と、防護柵２０へ取り付けるための防護柵取付部材４３と、を備えている。ブロック取付部材４１は、コンクリートブロック１０に設けられている第２上面ボルト孔１２ｂに適合する位置に長孔４１ａが設けられた取付プレートからなる。このブロック取付部材４１には、張設部材４２を回動自在に取り付ける２枚の取付板４４ａを備えている。
【００３３】
張設部材４２は、途中にターンバックル４７を備えた金属鉄筋で形成されている。その両端部には、板材４５ａ、４５ｂが形成されている。一方の板材４５ａは、前記ブロック取付部材４１の取付板４４ａ内に挟持され、中心にボルトやカシメを挿入して回動自在に取り付けられている。一方、他方の板材４５ｂは、同様に、防護柵取付部材４３の２枚の取付板４４ｂ内に挟持され、同様に回動自在に取り付けられている。
【００３４】
防護柵取付部材４３は、隣り合って設置される防護柵２０の支柱２２を保持するための部材であり、支柱２２を２本まとめて表裏から挟持できるように、湾曲した２枚の湾曲した鉄板からなる。この２枚の鉄板で支柱２２を挟み込んで固定する。防護柵取付部材４３には、ブロック取付部材４１と同様に２枚の取付板４４ｂが設けられていて、張設部材４２の板材４５ｂを１本のボルトやカシメによって回動自在となるように挟持されている。
【００３５】
以上のように構成されたコンクリートブロック１０、防護柵２０、支柱立設部材３０及び防護柵支持固定部材４０は、図１に示すように以下のようにして使用される。
【００３６】
まず、コンクリートブロック１０を、柵を設置したい場所に長手方向に連続して付設する。そして隣接したコンクリートブロック１０の側面に鉄プレート１１０を配し、側面ボルト孔１１に鉄プレート１１０の孔を介してボルトで取付け、隣接したコンクリートブロック１０同士を固定する。
【００３７】
次に、コンクリートブロック１０の上面に設けられたボルト孔１２ａにボルトで支柱立設部材３０を固定する。そして、支柱立設部材３０に防護柵２０の支柱２２を挿入してコンクリートブロック１０の上面に防護柵２０を立設する。
【００３８】
その後、防護柵支持固定部材４０を、前述したようにコンクリートブロック１０と防護柵２０に取付け、コンクリートブロック１０と防護柵２０の間に斜めとなるように架設する。そして、ターンバックル４７を回転させて締め付け、防護柵支持固定部材のテンションを強くして防護柵２０を確実に固定する。こうして、コンクリートブロックを備えた防護柵１００が設置される。
【００３９】
こうして設置されたコンクリートブロックを備えた防護柵１００は、基礎となるコンクリートブロック１０が、防護柵２０の直下に長手方向に連続して設置されているので、かなりの重量を有することになり、風や多少の自動車の衝突等によっても倒れたり、移動したりするのを防止することができる。
【００４０】
また、立設した防護柵２０は、防護柵支持固定部材４０によって固定されているので、風などによって抜けたり、いたずらによって防護柵２０を盗られたりすることも防止することができる。
【００４１】
（第２実施形態）
以下、コンクリートブロックのバリエーションについて説明する。コンクリートブロック１０としては、長手方向に連結可能であり、かつ、隣り合ったコンクリートブロック１０と連結可能であれば、その形状、固定方法は特に限定するものではない。例えば、コンクリートブロックとして、以下のような変形例が考えられる。
【００４２】
第２実施形態におけるコンクリートブロック１０ａは、図６に示したように、コンクリートブロック１０ａ両端部の一方の端部は上側が側方に突出して形成されてなる上側突出部１５ａを備え、反対側の他方の端部は、下側が側方に突出して形成されてなる下側突出部１５ｂを備えている。
【００４３】
係る構成を有するコンクリートブロック１０ａを用いれば、隣り合うコンクリートブロック１０ａの上側突出部１５ａと下側突出部１５ｂを重ね合わせるだけで、下側突出部１５ｂは、上側突出部１５ａによって荷重がかけられて移動がさらに抑制される。従って、第１実施形態のように側面を鉄プレート１１０で固定する必要がない。なお、コンクリートブロック１０ａの上面に、後述する支柱立設部材３０及び防護柵支持固定部材４０を取り付けることができるようにそれぞれ第１上面ボルト孔１２ａ、第２上面ボルト孔１２ｂが設けられている点は第１実施形態と同様である。
【００４４】
さらに、任意に上側突出部１５ａに円形の凹部（図示しない）を形成し、下側突出部１５ｂに円形の凸部１５ｃを形成して、上側突出部１５ａと下側突出部１５ｂとが互いに嵌合するように構成してもよい。係る構成を採用することによって、図７のように互いに嵌合して位置関係がずれることも防止することができ、多少屈曲させて配置させることも可能となる。
【００４５】
なお、コンクリートブロック１０の形態としては、上記第２実施形態のものに限定されるものではなく、図８に示したように、コンクリートブロック１０ｂの両側端の上側突出部１５ａ及び下側突出部１５ｂを円形に形成してもよい。なお、コンクリートブロック１０ｂの側面には、凹溝１６が形成されているが、これについては、詳細は後述する。
【００４６】
さらに、図９に示すように、コンクリートブロック１０ｃの一方の端部のみに円形の上側突出部１５ａを設けてもよい。また、図１０に示すように、コンクリート１０ｄの一方の端部を円形の上側突出部１５ａとし、他方の端部を矩形の下側突出部１５ｂとしてもよい。
【００４７】
さらにまた、図１１に示すように、コンクリートブロック１０ｅは、必ずしも直線上に形成する必要はなく、途中を屈曲形成してもよい。このようなコンクリートブロックを使用することで、カーブにも対応することができるようになる。
【００４８】
（第３実施形態）
次に、支柱立設部材のバリエーションについて説明する。支柱立設部材３０としては、防護柵２０を立設する部品である。よって、支柱立設部材３０は、コンクリートブロック１０に固定可能であり、かつ２本の支柱２２を立設可能な形態であればよい。
【００４９】
例えば、支柱立設部材３０は必ずしも一体物である必要はなく、図１２に示したように、２個の部品を組み合わせた支柱立設部材３０ａであってもよい。すなわち、固定部３１ａは、図１３に示すように、コンクリートブロック１０に予め長尺に形成された断面Ｌ字型のＬ字部材に形成する。一方で立設部材３２ａは、断面がコの字型の鋼材のフックにパイプを２本溶接して作製する。立設部３２ａのフックをＬ字部材の上端にボルト等で固定可能に形成して取り付けて支柱立設部材３０となす。係る構成の支柱立設部材３０を採用すれば、立設部３２ａを固定部３１ａ上で移動させることができるので、位置の自由度が高くなり、支柱の幅に合わせて微調整することができるようになる。
【００５０】
なお、固定部３１ａのＬ字部材の上端に長手方向に断面が四角の棒状体を取り付けておけば、フックのボルトが緩んだ場合でも容易に上方に取り外しづらくすることができる。
【００５１】
また、第１実施形態や第３実施形態で説明した、立設部３２において図１４に示したように、パイプ内にゴム等の弾性部材３４を内装させてもよい。弾性部材３４を内装させれば、支柱２２を差し込んだときに、がたつきを抑えることができ、金属同士がぶつかったときに発生する騒音を防止することができる。
【００５２】
（第４実施形態）
次に、防護柵支持固定部材４０のバリエーションについて説明する。防護柵支持固定部材４０としては、防護柵２０とコンクリートブロック１０とに架設できる構成であれば、その構造は特に限定するものではない。例えば、ブロック取付部材４１としては、コンクリートにボルトで直接固定する形態の他、図１５に示すように、防護柵支持固定部材４０ａのブロック取付部材４１ａがＵ字型又はコの字型に形成したフックにし、一方、図８〜図１１に示したように、予めコンクリートブロック１０の側面の上方に凹溝１６を形成しておき、この凹溝１６に嵌め込むようにしてもよい。具体的には、コンクリートブロック１０の周囲に水平に幅１．０ｃｍから４ｃｍ程度の凹溝を切っておく。なお、溝は必ずしも凹溝である必要はなく、Ｖ字溝であってもよい。一方で、ブロック取付部材４１は、上面から凹溝１６までの幅とほぼ同様の幅を有するように、断面をコの字状に折り曲げて形成する。そして、この凹溝１６にブロック取付部材４１を引っ掛けて固定する。
【００５３】
また、防護柵取付部材４３も、必ずしも支柱を固定するものである必要はなく、図１５のようにＵ字型のフックを取り付けて、柵のフェンスの下方を支持できるものでもよい。
（第５実施形態）
【００５４】
さて、第２実施形態から第５実施形態に示されたコンクリートブロック１０、支柱立設部材３０及び防護柵支持固定部材４０のバリエーションを用いた使用方法の１形態について以下に説明する。
【００５５】
図１６に示すように、コンクリートブロックとしては、図８及び図１０に示されたコンクリートブロック１０ｂ、１０ｄタイプのものと、一方が矩形の上方突出部を有し、他方が円形の下方突出部を有するコンクリートブロック１０ｆを用いている。コンクリートブロック１０ｄとコンクリートブロック１０ｆは、９０°屈曲配置されている。このように、上側突出部と下側突出部とを備えるコンクリートブロックを使用されば、９０°屈曲させて配置することができる。また、図示しないが、円形突出部を有するコンクリートブロック同士を使用すれば、９０°以外の角度にも配置できるため、便利である。
【００５６】
そして、図１２に示した支柱立設部材３０ａを各コンクリートブロックの上面に設置して、防護柵２０を取り付ける。その後、図１５に示した防護柵支持固定部材４０aを使用して、ブロック取付部材のフック４１ａをコンクリートブロックの凹溝１６に引っ掛け、一方柵の下方に防護柵取付部材４３ａのフックを引っ掛けて固定する。
【産業上の利用可能性】
【００５７】
本発明は、境界を設ける柵を設置する場合に利用可能性がある。
【符号の説明】
【００５８】
１００…コンクリートブロックを備えた防護柵、１０、１０ａ、１０ｂ…コンクリートブロック、１１…側面ボルト孔、１２…ボルト孔、１２ａ…第１上面ボルト孔、１２ｂ…第２上面ボルト孔、１５ａ…上側突出部、１５ｂ…下側突出部、１５ｃ…円形の凸部、１６…凹溝、２０…防護柵、２１…フェンス、２２…支柱、３０…支柱立設部材、３１…固定部、３１ａ…固定部、３２…立設部、３３…長孔、３４…弾性部材、４０、４０ａ…防護柵支持固定部材、４１…ブロック取付部材、４２…張設部材、４３…防護柵取付部材、４４ａ、４４ｂ…取付板、４５ａ、４５ｂ…板材、１１０…鉄プレート
【図１】
2011026915.tif 000003
【図２】
2011026915.tif 000004
【図３】
2011026915.tif 000005
【図４】
2011026915.tif 000006
【図５】
2011026915.tif 000007
【図６】
2011026915.tif 000008
【図７】
2011026915.tif 000009
【図８】
2011026915.tif 000010
【図９】
2011026915.tif 000011
【図１０】
2011026915.tif 000012
【図１１】
2011026915.tif 000013
【図１２】
2011026915.tif 000014
【図１３】
2011026915.tif 000015
【図１４】
2011026915.tif 000016
【図１５】
2011026915.tif 000017
【図１６】
2011026915.tif 000018
【図１７】
2011026915.tif 000019
【図１８】
2011026915.tif 000020
【図１９】
2011026915.tif 000021